(57)【要約】【課題】サクランボ用の容器に関し、特に、サクランボの果実部分が外部から整然と整列して詰め込まれた状態に透視できる詰め作業の効率化を可能にする新規な構造からなるサクランボ整列詰め用容器、およびその容器への新規なサクランボ整列詰め方法を提供する。【解決手段】下位部分の座面部１と、その上位に位置し、上方に膨出した収容空間２１を有する下向き容器本体部２との組合せからなり、座面部１の周縁部分は、下向き容器本体部下端縁またはそれに附随する箇所２２に当接状または嵌合して仮着構造をなす連結縁１１に形成され、該連結縁１１の内側となる主要面がサクランボ花柄部分を当接、載置状としてサクランボ荷重を支持するようにしてなるものとしたサクランボ整列詰め用容器である。【選択図】　図２
2004018041.tif 000002
【特許請求の範囲】
【請求項１】
全体が透明なプラスチック製であって、下位部分の座面部と、その上位に位置し、上方に膨出した収容空間を有する下向き容器本体部との組合せからなり、座面部の周縁部分は、下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにしてなるものとしたことを特徴とするサクランボ整列詰め用容器。
【請求項２】
全体が透明なプラスチック製であって、上方に膨出した収容空間を有する下向き容器本体部に対し、該下向き容器本体部の収容空間の下方に向く開口を閉鎖可能な平面形を有し、その周縁部分が当該下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにした座面部が、その下位に位置するよう組み合わされてなるものとしたことを特徴とするサクランボ整列詰め用容器。
【請求項３】
全体が透明なプラスチック製であって、蝶番部を境にして繋がる下位部分を座面部にすると共に、同上位部分が上方に膨出した収容空間を有する下向き容器本体部に形成され、座面部の周縁部分は、下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにしてなるものとしたことを特徴とするサクランボ整列詰め用容器。
【請求項４】
座面部は、少なくともその上面が、当接状とするサクランボ花柄の納まりを安定化する凹凸加工の施されてなるものに形成されるか、あるいは、その上面側に、別体の凹凸加工面体もしくは摩擦面体またはスポンジ体等弾性摩擦体を組み合わせてなるものとした、請求項１ないし３何れか記載のサクランボ整列詰め用容器。
【請求項５】
収容空間付きの下向き容器本体部は、サクランボ果実の大きさに対応した凹部が整然と形成されてなるものとした、請求項１ないし４何れか記載のサクランボ整列詰め用容器。
【請求項６】
座面部と収容空間付きの下向き容器本体部とには、上下に重ねたときに互いに嵌合状に連結する仮着構造が形成されてなるものとした、請求項１ないし５何れか記載のサクランボ整列詰め用容器。
【請求項７】
座面部および／または収容空間付きの下向き容器本体部には、横方向に並べたときに隣接する座面部および／または下向き容器本体部に嵌合状に連結する仮着構造が形成されてなるものとした、請求項１ないし５何れか記載のサクランボ整列詰め用容器。
【請求項８】
詰め作業に入る段階で反転して座面部を上位、収容空間付きの下向き容器本体部を下位にした状態とした上、当該座面部を同下向き容器本体部から取り外すか、蝶番部を使って座面部を下向き容器本体部から開いて該下向き容器本体部の収容空間を上方に開口した状態に保ち、この収容空間の中に、花柄の付いたサクランボの所定量が、その果実を全て下向き容器本体部の透明周壁面側で同花柄がそれよりも内側に位置する姿勢となるよう規制して整列状に装填した後、それまで取り外すか、開いた状態にしてあった座面部を元に戻して、サクランボを整列状に詰め込んである下向き容器本体部の収容空間の開口を閉鎖し、そのまま反転させて座面部を下位とする容器として正常な状態に復帰することにより、果実部分だけが透明な収容空間付きの下向き容器本体部を通して透視状となるよう整列詰めするようにしたことを特徴とする、請求項１ないし７何れか記載のサクランボ整列詰め用容器へのサクランボ整列詰め方法。
【請求項９】
詰め作業に入る段階で反転して座面部を上位、収容空間付きの下向き容器本体部を下位にした状態とした上、当該座面部を同下向き容器本体部から取り外すか、蝶番部を使って座面部を下向き容器本体部から開いて該下向き容器本体部の収容空間を上方に開口した状態に保ち、この収容空間の中に、花柄の付いたサクランボの所定量が、その果実を全て下向き容器本体部の透明周壁面側で同花柄がそれよりも内側に位置する姿勢となるよう規制して整列状に装填した後、サクランボ花柄を集中的に露としている下向き容器本体部の収容空間開口の上に、別体の凹凸加工面体もしくは摩擦面体またはスポンジ体等弾性摩擦体を被せてから、それまで取り外すか、開いた状態にしてあった座面部を元に戻して、サクランボを整列状に詰め込んである下向き容器本体部の収容空間の開口を閉鎖し、そのまま反転させて座面部を下位とする容器として正常な状態に復帰することにより、果実部分だけが透明な収容空間付きの下向き容器本体部を通して透視状となるよう整列詰めするようにしたことを特徴とする、請求項４ないし６何れか記載のサクランボ整列詰め用容器へのサクランボ整列詰め方法。
【発明の詳細な説明】
【０００１】
【発明の目的】
この発明は、サクランボ用の容器に関するものであり、特に、サクランボの果実部分が外部から整然と整列して詰め込まれた状態に透視でき、見た目にも美しく商品価値を高め得るようにした容器であって、しかも、そのための詰め作業も効率的なものにすることができる新規な構造からなるサクランボ整列詰め用容器、およびその容器への新規なサクランボ整列詰め方法を提供しようとするものである。
【０００２】
【従来の技術】
初夏の風物詩として誰にも愛されるサクランボは、生食用として専用の詰め容器に収納されて出荷・店頭販売されるものと、加工用で荷姿に殆どこだわることなく一まとめにして加工業者向けに出荷されるものとに大別されるが、さらに、この店頭販売されるものでも、整列詰めといわれる果実部分だけが表面に表れる荷姿にしたものと、果実部分や花柄の別なく表面に露となってしまうバラ詰めといわれる荷姿によるものとに分かれ、後者のバラ詰めによるものでは、単に詰め容器の中にサクランボ果実の所要量を装填、封口しただけのものとなるために、確かに詰め作業は簡単なことから安価なものとして提供可能にはなるものの、外観の美しさは求めるべくもなく、個々の果実として愛らしいサクランボもそれだけ商品価値を落してしまうことになる。
【０００３】
これに対し、整列詰めによるものでは、サクランボの果実部分だけを表面に表れるように詰められているため、見た目は極めて美しく、商品価値を大巾に高めて経済効果を上げることができることから、殆どのサクランボ栽培農家では、なるべく色付き、品質共に良いものだけを選別した上、サイズ毎に揃えて専用の容器に整列詰めしたものとして出荷することにより、単にバラ詰めしたものよりも付加価値を高めた販売方法を採用し、できるだけ経済効果が上がるような努力をしてはいるものの、その詰め作業には、専用の詰め容器の表蓋を開け、その中にサクランボ一粒ずつを、果実部分を表面に見せるよう、花柄部分を下に向けて果実の下に隠しながら、他方の手で先に詰めたものの姿勢を崩さないよう押さえて順次並べていくという極めて煩雑且つ特種技能に頼る手作業を要してしまうことから、当然のことながら非効率であって一日に一人で箱詰めする数量にも限界があり、出荷数を増やすには多くの作業労働者に頼らざるを得ず、結局人件費の高騰を招いて思う程には経済効果が伴わないという悪循環を繰り返すと共に、最近では、サクランボの収穫時期が特定の短期間に限られるという特殊事情と就業労働者層の変化とから人集めも困難になるという新たな問題も発生してきていて、多くのサクランボ栽培農家が厳しい経営環境に直面し始めてきている。
【０００４】
こうした状況を打開しようとして、例えば実公平７−３８１１１号「サクランボの箱詰め用治具」公報に記載されたもののように、サクランボが楽に通過する程度の網目によって形成された整理板をボックス体内に配置、使用し、それを引き上げる過程で自動的にサクランボの姿勢が果実部分を下にし、花柄部分を上にして揃うようにした秀れた補助器具も提案され、既に実用化されて実績を残し始めているが、器具はそれなりの価格設定をされていて作業労働者全員の分だけを用意するにはかなりの費用負担を覚悟しなければならない上、その器具による詰め作業には、作業過程で実現し得るサクランボの姿勢が全て果実部分を下向きにしか整列することができず、一旦専用容器を裏返して被せた後、作業基板毎に反転操作するという作業を必須とすることから、サクランボ詰め専用の容器よりもかなり大きな平面形の作業基板を取り扱うための作業空間を用意しなければならず、それまでの作業場では直ぐに対応できないといった問題もあり、必ずしも全てのサクランボ栽培農家に適合し得るものでもないという事情もあり、他に有効な整列詰めの手段を望む声も少なくはないのが実情となっている。
【０００５】
そこで、この発明では、以上のような要望に応えるべく、永年容器関係の業務に係わるものとして、専用容器の面からの対策がないものかとの判断から、逸早くその開発、研究に着手して長期に渡る試行錯誤と幾多の試作、実験とを繰り返し続けてきた結果、今回、遂に新規な構成からなるサクランボ整列詰め用容器、およびその容器へのサクランボ整列詰め方法を実現化することに成功したものであり、以下では、図面に示すこの発明を代表する実施例と共に、その構成を詳述していくことにする。
【０００６】
【発明の構成】
後述するこの発明を代表する実施例からも明確に把握可能となるように、この発明のサクランボ整列詰め用容器は、基本的に座面部と下向き容器本体部とからなり、場合によっては両者間に蝶番部を介在、形成し、両者が該蝶番部を境に相対的に折り畳み自在になるようにした構造のものも包含するものであり、次のとおりの構成から成り立っている。　　　　　　　　　　　　　　　　　　　　即ち、全体が透明なプラスチック製であって、下位部分の座面部と、その上位に位置し、上方に膨出した収容空間を有する下向き容器本体部との組合せからなり、座面部の周縁部分は、下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにしてなるものとした構成を要旨とするサクランボ整列詰め用容器である。
【０００７】
この基本的な構成からなるこの発明のサクランボ整列詰め用容器を、他の表現によるものとして示すと、全体が透明なプラスチック製であって、上方に膨出した収容空間を有する下向き容器本体部に対し、該下向き容器本体部の収容空間の下方に向く開口を閉鎖可能な平面形を有し、その周縁部分が当該下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにした座面部が、その下位に位置するよう組み合わされてなるものとしたサクランボ整列詰め用容器ということができる。
【０００８】
そして、上記のとおりの構成を基本とするこの発明のサクランボ整列詰め用容器には、全体が透明なプラスチック製であって、蝶番部を境にして繋がる下位部分を座面部にすると共に、同上位部分が上方に膨出した収容空間を有する下向き容器本体部に形成され、座面部の周縁部分は、下向き容器本体部下端縁またはそれに附随する箇所に当接状または嵌合して仮着構造をなす連結縁に形成されると共に、該連結縁の内側となる主要面がサクランボ花柄部分を当接、載置状としてサクランボ荷重を支持するようにしてなるものとした構成からなるサクランボ整列詰め用容器が包含されている。
【０００９】
この発明の容器は、所謂従前から各種商品を収容、販売するために広く採用されてきている透明なプラスチック製（何等プラスチックの種類は問わない。）によるものであり、全体平面形も限定されてはいないが、最も一般的には矩形か円形のものであって、座面部は、下向き容器本体部の上方に膨出した収容空間の下端開口を閉鎖した上、同収容空間内に整列状に詰め込んだサクランボを、その花柄側から支持して整列状態を崩してしまわないように機能すると共に、容器における台座としても機能するものであり、その周縁部分が当該下向き容器本体部下端縁またはそれに附随する箇所に当接状または嵌合して仮着構造をなす（例えば、当接状とするときはホッチキス止めやホットメルト、テープ止めによるものとしたり、嵌合によるときはホック止めの雌雄釦のような凹凸嵌合部を要所要所に設けた）連結縁に形成されると共に、該連結縁の内側となる主要面は、下向き容器本体部収容空間内のサクランボ荷重を支持するに足る、例えば補強リブ付きのものであって、容器として安定した状態を維持するように、その下面は同一平面内に納まるようにして形成されていなければならない。
【００１０】
さらに、この座面部は、サクランボの花柄に当接状となる上面側、即ち下向き容器本体部に相対する側を、同花柄の納まりを安定化する上で有効な凹凸加工（これは、上記した補強リブと兼用するようにしたり、補強リブとする凹凸部の一部にさらに凹凸加工したもの等とする。）の施されてなるものに形成されるか、あるいは、それ自体には補強リブ用の凹凸部を有するだけで、花柄安定化用の凹凸加工面とはせず、別体の凹凸加工面体（例えば硬質プラスチック薄板に凹凸加工したもの）もしくは摩擦面体（例えば比較的厚手の軟質プラスチック体やフェルト体、厚手の和紙）またはスポンジ体等弾性摩擦体を組み合わせてなるものとするのが望ましい。
【００１１】
一方、下向き容器本体部は、上方に向けて膨出させた収容空間を有するものであって、その収容空間内に所定量のサクランボを整列状に収容し、それら整列状のサクランボを外部から透視できるようにする機能を果たすものであり、したがって、その下方に開口するだけであって上方（天面）に開口する箇所はなく、それら天面および周壁面共、平滑面からなるものとすることもできるが、収容空間内に整列状に詰め込んだサクランボの納まりが安定するよう、特に天面は、サクランボ果実の大きさに対応した凹部が整然と形成されてなるものとすることができる外、この発明によるサクランボ整列詰め用容器同士を上下に重ねて出荷するとき等に、両者が安定せずに前後、左右何れにも簡単にズレ動いてしまって不便を来すといった事態を生じさせないよう、予めその重ね置き取扱いに都合の良い状態を実現できるよう、一方の容器の座面部と他方の下向き容器本体部天面とが互いに嵌合状に連結する仮着構造、例えばホック止めの雌雄釦のような凹凸嵌合部を下向き容器本体部天面に設け、それに対応するように相対することとなる座面部にもそれら凹凸嵌合部の他方側が形成されたものとする等といった工夫を施したり、横方向に並べたときに隣接具合を安定化するよう、隣接する容器相互の相対する座面部連結縁同士が簡単な連結構造を実現できる、例えば鳩尾状あるいはホック状嵌め外し嵌合構造となるようにしたもの等とすることもできる。
【００１２】
【関連する発明】
上記のとおりの構成からなるサクランボ整列詰め用容器に関連し、この発明には、次のとおりの構成からなるサクランボ整列詰め用容器へのサクランボ整列詰め方法を包含している。　　　　　　　　　　　　　　　　　　　　　　　　即ち、詰め作業に入る段階で反転して座面部を上位、収容空間付きの下向き容器本体部を下位にした状態とした上、当該座面部を同下向き容器本体部から取り外すか、蝶番部を使って座面部を下向き容器本体部から開いて該下向き容器本体部の収容空間を上方に開口した状態に保ち、この収容空間の中に、花柄の付いたサクランボの所定量が、その果実を全て下向き容器本体部の透明周壁面側で同花柄がそれよりも内側に位置する姿勢となるよう規制して整列状に装填した後、それまで取り外すか、開いた状態にしてあった座面部を元に戻して、サクランボを整列状に詰め込んである下向き容器本体部の収容空間の開口を閉鎖し、そのまま反転させて座面部を下位とする容器として正常な状態に復帰することにより、果実部分だけが透明な収容空間付きの下向き容器本体部を通して透視状となるよう整列詰めするようにした構成を要旨とする、上記したこの発明のサクランボ整列詰め用容器へのサクランボ整列詰め方法である。
【００１３】
この基本的な構成からなるこの発明のサクランボ整列詰め方法には、詰め作業に入る段階で反転して座面部を上位、収容空間付きの下向き容器本体部を下位にした状態とした上、当該座面部を同下向き容器本体部から取り外すか、蝶番部を使って座面部を下向き容器本体部から開いて該下向き容器本体部の収容空間を上方に開口した状態に保ち、この収容空間の中に、花柄の付いたサクランボの所定量が、その果実を全て下向き容器本体部の透明周壁面側で同花柄がそれよりも内側に位置する姿勢となるよう規制して整列状に装填した後、サクランボ花柄を集中的に露としている下向き容器本体部の収容空間開口の上に、別体の凹凸加工面体もしくは摩擦面体またはスポンジ体等弾性摩擦体を被せてから、それまで取り外すか、開いた状態にしてあった座面部を元に戻して、サクランボを整列状に詰め込んである下向き容器本体部の収容空間の開口を閉鎖し、そのまま反転させて座面部を下位とする容器として正常な状態に復帰することにより、果実部分だけが透明な収容空間付きの下向き容器本体部を通して透視状となるよう整列詰めするようにした構成からなるサクランボ整列詰め用容器へのサクランボ整列詰め方法が包含されている。
【００１４】
この発明によるサクランボ整列詰め用容器を、正常な使用状態から反転させて座面部を上位、収容空間付きの下向き容器本体部を下位になるようにし、それまで下方に向けて開口していた下向き容器本体部の収容空間を上方に開口する工程では、この発明の基本をなすサクランボ整列詰め用容器が、基本的に座面部と下向き容器本体部とからなることを前提としているために、それを前提とする構成表現とするため、座面部に下向き容器本体部を組み合せた状態で反転させる操作としているが、この構成には、当然のことながら、予め座面部取り外してしまうか、蝶番部を使って座面部を開いた状態にして反転操作し、反転操作を完了した段階で既に下向き容器本体部の収容空間が上方に開口した状態になるようにする操作を除外するものではなく、それらの操作も勿論包含されるものであることは言うまでもないことである。
【００１５】
上方に開口した下向き容器本体部の収容空間へのサクランボ詰め工程は、従前からの作業者の手による詰め方、即ちサクランボ果実が下向き容器本体部の天面および周壁面側に位置し、花柄部分はそれら各面から遠ざかるようにした姿勢で詰め込んでいき、下向き容器本体部の外側から見た場合、花柄部分が果実部分の背後にあって殆ど見えない状態になるようにした整列詰めによる外、何等かの詰め作業用の器具、装置を使用して同様の詰め方になるようにする機械的、半機械的手段による整列詰めによるものも当然包含するものであり、特に詰め方についてその手段が制限されている訳ではない。
【００１６】
この整列詰めを終えた段階で、下向き容器本体部の収容空間の中には、その開口部分にサクランボ花柄が集中的に露となってサクランボが詰め込まれた状態を呈することになり、それら露なサクランボ花柄全体を押さえ付けるようにして座面部を被せ（蝶番部を介して下向き容器本体部に繋がっている座面部は当該蝶番部で折り畳むようにして被せ）、下向き容器本体部収容空間の開口を閉鎖状としてしまわなければならないが、この閉鎖状状態を保持し、この後の反転操作して容器として正常な姿勢に復帰させる段階に、不用意に座面部が下向き容器本体部から外れたり、開いたりしてしまい、収容空間内に折角整列詰めしてあるサクランボが零れだしたり、整列状態を崩してしまわないようにするため、予め仮着構造の形成された容器を採用しておれば、それら仮着構造によって確実に座面部が下向き容器本体部に借り固定された状態にし、仮着構造がなく、単に座面部の連結縁が下向き容器本体部の開口端縁あるいはそれに連続する周縁に当接状となる構造の容器の場合には、それら当接部分要所要所をホッチキスや接着テープ、あるいは専用のバンドや封帯等で仮着したり、ホットメルト装置で仮固定状になるようにする必要がある。
【００１７】
なお、この座面部を下向き容器本体部に被せてその収容空間を閉鎖状にした後で、在庫保管したり、店頭へ陳列あるいは出荷したりするために、内部に整列詰めしたまま容器を移動、取扱いをする段階に、花柄の納まりを安定化させて折角の整列詰めが崩れてしまわないよう、予めサクランボの花柄に当接状となる座面部上面側（下向き容器本体部に相対する側）を凹凸加工の施された容器を採用するようにするか、あるいは、別体の硬質プラスチック薄板に凹凸加工したものや、比較的厚手の軟質プラスチック体やフェルト体、厚手の和紙といった摩擦面体やスポンジ体等といった弾性摩擦体を、一旦集中的に露となっているサクランボ花柄の上に積層状となるように組み合わせるようにするとその目的が確実に達成可能になり、極めて好都合のものにすることができる。　　　　　　　　　　以下、この発明を代表する実施例について説明を加え、この発明が包含するサクランボ整列詰め用容器、およびその容器へのサクランボ整列詰め方法に関する構成がより一層明確に把握できるようにする。
【００１８】
【実施例１】
図１の全体斜視図、および図２の縦断面図に示されているとおり、この発明のサクランボ整列詰め用容器は、蝶番部３を介して下位に座面部１、同上位に、上方に膨出した収容空間を有する下向き容器本体部２が組み合わされてなる容器であって、座面部１および下向き容器本体部２、それに蝶番部３共、ポリスチロール樹脂からなる透明なプラスチック製のものとして一体射出成形されたものであり、蝶番部３部分を使って折り畳んだ状態で互いに当接状となる座面部１の連結縁１１と、下向き容器本体部下端縁またはそれに附随する箇所２２とは、下向き容器本体部２の収容空間２１内に所定どおりにサクランボＦ，Ｆ，…を整列詰めした後、正常の容器に復帰するために反転する操作に先立ち、両者の当接状態が不用意に解除あるいは解除に近い状態になってしまわないように、それら当接部分要所要所をホッチキス止めして仮着構造をなすようにした、この発明の最も基本的な構成からなるものの一実施例である。
【００１９】
【実施例２】
この実施例では、上記実施例１に示したサクランボ整列詰め容器へのサクランボ整列詰め方法を取り上げてあり、図３の工程の概略を示すフロー図に示すように、この整列詰め方法では、全体が透明なプラスチック製であって、サクランボＦ，Ｆ，…を収容するために上方に向けて膨出させた収容空間２１を有するものであって、その収容空間２１内に所定量のサクランボＦ，Ｆ，…を整列状に収容し、それら整列状のサクランボＦ，Ｆ，…を外部から透視できるようにした下向き容器本体部２、したがって、この下向き容器本体部２は、収容空間２１の下方に開口するだけであって上方（天面）に開口していない構造のものであり、それを座面部１と組み合せてなる容器を使用するものである。
【００２０】
この専用の透明プラスチック製のサクランボ整列詰め容器を、先ず最初、サクランボ詰め作業に入る段階で、この容器として正常な姿勢である下位が座面部１、上位が下向き容器本体部２とした姿勢から反転させ、下向き容器本体部２の収容空間２１の開口を上方に向けた状態にする操作をしてから、その収容空間２１の中に，花柄の付いたサクランボＦ，Ｆ，…の果実部分を、従前からの作業者の手による詰め方同様に手で摘み、サクランボ果実が下向き容器本体部２の天面および周壁面側に位置し、花柄部分はそれら各面から遠ざかるようにした姿勢となるようにして詰め込んでいき、下向き容器本体部２の外側から見た場合、花柄部分がこれら果実部分の背後に隠れてしまって殆ど見えない状態になるようにした整列詰めを繰り返し、所定量のサクランボＦ，Ｆ，…を下向き容器本体部２の収容空間２１内にきれいに詰め込んでしまう。
【００２１】
その後、それまで開いた状態としてあった座面部１を蝶番部３を使って屈曲し、上記のようにしてサクランボＦ，Ｆ，…の所定量を整列状に詰め込んである下向き容器本体部２の収容空間２１の開口を閉鎖し、適宜接着テープやホッチキス（商品名）等で閉鎖状態を仮止めしてしまってから、それらサクランボＦ，Ｆ，…を整列詰めし、閉鎖状態が保持されるようにしたまま容器全体を反転させ、この容器として正常な姿勢に戻してしまう手順を踏むことにより、収容空間２１内に整列状に詰められたサクランボＦ，Ｆ，…が、その花柄が下方に向いて果実の陰に隠れた状態に変わってしまい、果実部分だけが透明な下向き容器本体部２を通してきれいに並んだ状態で透視できるようにする、サクランボＦ，Ｆ，…所定容器内に整列詰めする方法が完了することになる。
【００２２】
【作用効果】
以上のとおりの構成からなるこの発明のサクランボ整列詰め用容器、およびその容器へのサクランボ整列詰め方法は、サクランボを、対象とするひっくり返した状態にし、下向き容器本体部収容空間内に、サクランボの重量のある果実部分を下にし、軽い花柄を上に向けた取り扱い易い姿勢で装填、整列状とした後、その開口を座面部で塞いでサクランボを収容したまま反転させ、この発明の容器として正常な姿勢に復帰させるだけで、サクランボをきれいに整列、収容した状態で外部から透視できるサクランボ整列詰めを実現することができるものとなることから、従前までのように、蓋が上位で、収容空間が下方に膨出状となるパック本体からなる容器であって、詰め作業段階から詰め作業完了段階を経て出荷し、消費者に開封されるまで一貫してパック本体当該収容空間開口を上方に向けた状態にして取り扱うようにし、主として透明な上蓋を通して外看するようにするため、パック本体収容空間内には、予め透明な上蓋から外看されたときにきれいに整列した状態を実現できるよう、全てのサクランボを、重量のある果実部分を上方に向け、軽い花柄を下または内側に向けた不自然な姿勢での詰め方を強いられ、特殊技能を要するだけではなく、かなり習熟した者でもかなりの負担を覚悟しなければならなかったのに対し、初心者でも極めて効率的な整列詰めが可能になるだけではなく、詰め作業自体の工数も簡略化されて箱詰め労働力の確保をし易くすると共に、詰め作業用に特殊な器具類を使用しなくても実施可能で、それだけ余計な材料費を必要とせず、高いと評判のサクランボの価格高騰を押さえ、比較的安定した価格帯での提供を可能にするという秀れた効果が得られるものとなる。
【００２３】
特に、実施例として取り上げたこの発明を代表するサクランボ整列詰め用容器、およびその容器へのサクランボ整列詰め方法は、上記した特徴に加え、容器自体が極めて簡潔な構造のものとして製造でき、しかも、形状も矩形状であって蝶番部３で座面部１に下向き容器本体部２を一体射出形成したものとして形成されており、収容空間内へのサクランボＦ，Ｆ，…の整列詰め作業や座面部１と下向き容器本体部２との組み合せ、取扱いもし易いものになるという効果も発揮し得るものとなって、サクランボ栽培農家の収穫作業に大いに役立つものになるという実益が得られるものになる。
【００２４】
叙述のとおり、この発明のサクランボ整列詰め用容器、およびおよびその容器へのサクランボ整列詰め方法は、その新規な構成によって所期の目的を普く達成可能にするものであり、しかも、製造も容易で取り扱い作業性にも秀れていることから、時期的に集中するという特殊な労働事情に加え、就業労働者層の変化もあって作業労働者の確保に苦労するサクランボ栽培農家にとって、経済効果を上げる有効な手段として高い評価がなされると共に、サクランボ詰めに従事する作業者からも、労働内容の簡素化に役立つものとして高く評価され、広く採用、普及していくものと予想される。
【図面の簡単な説明】
図面は、この発明のササクランボ整列詰め用容器、およびおよびその容器へのサクランボ整列詰め方法に係わる代表的な実施例を取り上げたものである。
【図１】容器の全体斜視図である。
【図２】サクランボを整列詰めした状態で示す縦断面図である。
【図３】この発明のサクランボ整列詰め方法説明するための概略を示すフロー図である。
【符号の説明】
１　　　　座面部
１１　　　同　連結縁
２　　　　下向き容器本体部
２１　　　同　収容空間
２２　　　同　下端縁
３　　　　蝶番部
Ｆ　　サクランボ
【図１】
2004018041.tif 000003
【図２】
2004018041.tif 000004
【図３】
2004018041.tif 000005